【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
直方体形状と、該直方体形状の向かい合う第１および第２の側面の幅および高さと幅および高さが同じである第１および第２の半円柱形状とが、前記直方体形状の前記第１および第２の側面のそれぞれに、前記第１および前記第２の半円柱形状の前記幅および高さが同じ平面が合致するように一体化された形状であって、前記第１および第２の側面に隣り合って向かい合う第３および第４の側面、ならびに、前記第１および前記第２の半円柱形状の側面とよりなる全側面に１本に繋がるように電気コードを巻き付けるための螺旋状の溝が形成され、前記第１ないし前記第４の４つの側面に隣り合う第５および第６の面を底面とする耐熱絶縁性の樹脂を素材とする電気コード長さ調節具であって、
隣り合う溝間の隔壁の向かい合う内面には、前記第１および前記第２の半円柱形状の頂部近傍に、溝内に納められた電気コードが外れないようにするための突起が設けられていることを特徴とする電気コード長さ調節具。
【請求項２】
前記螺旋状の溝が、前記第３の側面側において、前記第５および前記第６の底面と平行となる方向の複数の溝と、前記第３の側面側と反対側の前記第４の側面側において、一方の端が前記複数の溝の１つの溝に接続され、他方の端が前記１つの溝の隣の溝に接続された斜め方向の複数の溝とが１本に繋がっている溝となるように形成された溝であることを特徴とする請求項１に記載の電気コード長さ調節具。
【請求項３】
前記第５の底面と前記第６の底面とを貫通する取り付け穴が形成されていることを特徴とする請求項１または２に記載の電気コード長さ調節具。
【請求項４】
前記第５または前記第６の底面に、引っ掛け穴が形成されたフック部が設けられていることを特徴とする請求項１または２に記載の電気コード長さ調節具。
【手続補正２】
【補正対象書類名】明細書
【補正対象項目名】全文
【補正方法】変更
【補正の内容】
【発明の詳細な説明】
【発明の名称】電気コード長さ調節具
【技術分野】
【０００１】
本発明は、テレビ、ビデオデッキ、ＤＶＤデッキ、テレビゲーム機、オーディオ機器、複写機、パソコン、パソコン周辺機器、固定電話、充電器、ファクシミリー機器、冷蔵庫、電子レンジ、炊飯機、食器洗い機、洗濯機、乾燥機、扇風機、石油ファンヒーター、オイルヒーター、除湿機、電気ストーブ、ゴミ処理機、エアコン、エアコン室外機、外灯、電気温水器、等の家電製品、全ての電気コードに利用ができる道具である。
【背景技術】
【０００２】
従来の電気コードを纏める方法としては、コード自体で縛るか、金属を中心に内蔵した結束紐か、又は、ビニール製の結束バンドで纏めていた。
【発明の開示】
【発明が解決しようとする課題】
【０００３】
電気コード自体で縛る方法や、金属を内蔵した結束紐、ビニール製の結束バンドは、縛られた場所や結束された場所では纏まりがあるが、それ以外では纏まっていないため、電気コードが絡んだり挟まったりした。
【０００４】
電気コードが絡んだ場合、コード同士が直接接触して発熱したり、電気コードが挟んだ場合、外圧によって電気の流れが悪くなり発熱したりし、どちらの場合も絶縁被覆を劣化させた後、電気ショートして火災を起こす恐れがある。
【課題を解決するための手段】
【０００５】
本発明は、直方体形状と、該直方体形状の向かい合う第１および第２の側面の幅および高さと幅および高さが同じである第１および第２の半円柱形状とが、前記直方体形状の前記第１および第２の側面のそれぞれに、前記第１および前記第２の半円柱形状の前記幅および高さが同じ平面が合致するように一体化された形状であって、前記第１および第２の側面に隣り合って向かい合う第３および第４の側面、ならびに、前記第１および前記第２の半円柱形状の側面とよりなる全側面に１本に繋がるように電気コードを巻き付けるための螺旋状の溝が形成され、前記第１ないし前記第４の４つの側面に隣り合う第５および第６の面を底面とする耐熱絶縁性の樹脂を素材とする電気コード長さ調節具であって、隣り合う溝間の隔壁の向かい合う内面には、前記第１および前記第２の半円柱形状の頂部近傍に、溝内に納められた電気コードが外れないようにするための突起が設けられていることを特徴とするものである。
【発明の効果】
【０００６】
本発明によれば、電気コード長さ調節具に電気コードを巻き付け、家電製品からコンセントまでの配線距離に合わせて長さを調節して、コンセントに差し込むため、電気コードが絡んだり、挟まったりすることがなくなり、余分なコードの部分が整理できる。さらに、この電気コード長さ調節具は、電気コード間の直接接触を防ぎ、電気コードを巻き付けた部分では、電気コード間に空間ができるため、冷却効果が得られ、電気コードを保護することができる。
【発明を実施するための最良の形態】
【０００７】
本発明は、素材を耐熱絶縁性の樹脂で形成され、電気コードを入れる溝が、縦方向と、その反対側は斜め方向に整列されて溝は１本に繋がっている。各溝の２箇所に突起を付けて電気コードが外れない様にしている。
【０００８】
図１は、本発明の電気コード長さ調節具の一実施例を説明するためのもので、図１（Ｂ）は上面図、図１（Ａ）は図１（Ｂ）の左側から見た側面図、図１（Ｃ）は図１（Ｂ）の右側から見た側面図、図１（Ｄ）は図１（Ｂ）の左側上方から見た斜視図、図１（Ｅ）は図１（Ｂ）の右側上方から見た斜視図である。図中、１は上面壁、２は溝、３は隔壁、４は突起、５は取り付け穴、６は名称である。
【０００９】
この実施例の電気コード長さ調節具の外形は、図５（Ａ）に示すように、直方体形状ａｂｃｄｅｆｇｈと、その両側面に２つの半円柱形状、すなわち、第１の半円柱形状ａｂｃｄｐｑおよび第２の半円柱形状ｅｆｇｈｒｓとが合体された形状となっている。第１の半円柱形状ａｂｃｄｐｑと第２の半円柱形状ｅｆｇｈｒｓの幅、ならびに、高さは、それぞれ、２つの向かい合った側面、すなわち、第１の側面ａｂｃｄおよび第２の側面ｅｆｇｈの幅ａｄ（ｂｃ）およびｅｈ（ｆｇ）、ならびに、高さａｂ（ｄｃ）およびｅｆ（ｈｇ）と同じである。したがって、電気コード長さ調節具の形状は、直方体形状ａｂｃｄｅｆｇｈと、その第１の側面ａｂｃｄに、幅および高さが同じ平面ａｂｃｄが合致するように一体化された第１の半円柱形状ａｂｃｄｐｑ、および、第２の側面ｅｆｇｈに、幅および高さが同じ平面ｅｆｇｈが合致するように一体化された第２の半円柱形状ｅｆｇｈｒｓとから成り立った形状であるということができる。また、これら４つの側面に隣り合う２つの底面のうちの第５の底面ａｅｈｄと、半円ａｄｐおよび半円ｅｈｒとによって底面である上面が形成され、第６の底面ｂｆｇｃと、半円ｂｃｇおよび半円ｆｇｓとによって底面である下面が形成されている。
【００１０】
第１の側面ａｂｃｄおよび第２の側面ｅｆｇｈに隣り合う側面である２つの側面、すなわち、第３の側面ａｂｆｅおよび第４の側面ｄｃｇｈ、ならびに、第１の半円柱形状ａｂｃｄｐｑの側面ａｂｇｃｄｐおよび第２の半円柱形状ｅｆｇｈｒｓの側面ｅｆｓｇｈｒとが、電気コード長さ調節具の全側面であり、この全側面に電気コードを巻き付けるための螺旋状の１本の溝が形成されている。
【００１１】
図１に戻って、上述した図５（Ａ）で説明した形状を参照しながら説明する。図１（Ｂ）は、上面を示した上面図であり、図１（Ａ）は第４の側面側の側面図、図１（Ｃ）は第３の側面側の側面図である。第３の側面側においては、図１（Ｃ）に示すように、溝２は上面１と平行に形成されており、隣り合う溝間の隔壁３も上面１と平行に形成されている。第４の側面側における溝２は、図１（Ａ）に示すように、溝２の一方の端（図の上端）において、第３の側面側（図の裏面側）の平行に形成された溝の１つの溝に接続され、他方の端（図の下端）が、その１つの溝の隣（図では左隣）の溝に接続され、斜め方向の溝として形成されている。隣り合う溝間の隔壁３も斜め方向に形成されている。このような接続によって、第３の側面側の溝２と第４の側面側の溝２とが接続されて１本に繋がっている溝となっている。隔壁３の向かい合う内面には、第１の半円柱形状の頂部近傍と、第２の半円柱形状の頂部近傍に、溝内に納められた電気コードが外れないようにするための突起４が設けられている。また、電気コード長さ調節具本体に直接、家電製品の名称６（例えば、「テレビコード」など）を記入することができる。
【００１２】
図２は、図１で説明した電気コード長さ調節具にテレビコードを巻き付けた状態を説明するためのもので、図２（Ａ）は平面図、図２（Ｂ）は側面図である。図中、図１と同じ部分には同じ符号を付して説明を省略する。７は電気コードである。溝２に納められるようにして電気コード７が電気コード長さ調節具に巻き付けられている。溝２内の電気コード７は、突起４によって外れにくくなっている。電気コード長さ調節具は、取り付け穴５を利用して、壁や棚にネジ止めするなどによって固定することができる。
【００１３】
図３は、本発明の電気コード長さ調節具の他の実施例を説明するためのもので、図３（Ａ）は側面図、図３（Ｂ）は図３（Ａ）の左側から見た上面図、図３（Ｃ）は図３（Ａ）の裏側から見た側面図、図３（Ｄ）は図３（Ａ）の右側から見た下面図、図３（Ｅ）は図３（Ｂ）の左側上方から見た斜視図、図３（Ｆ）は図３（Ｂ）の右側上方から見た斜視図である。図中、図１と同じ部分には同じ符号を付して説明を省略する。８はフック部、９は引っ掛け穴である。
【００１４】
この実施例の電気コード長さ調節具の形状は、図５（Ｂ）に示すように、図１，図５（Ａ）で説明した形状と同様に直方体形状と２つの半円柱形状とが一体化された形状であり、図５（Ｂ）において、図５（Ａ）と同じ符号を付して各面の説明を省略する。
【００１５】
この実施例では、一方の底面に張り出して板状のフック部（引っ掛け部）８が設けられている。フック部８に形成された引っ掛け穴９を、フック等に引っ掛けることによって電気コード長さ調節具を壁や棚に引っ掛けることができる。
【００１６】
図４は、図１で説明した電気コード長さ調節具にテレビコードを巻き付けた状態を説明するためのもので、図４（Ａ）は平面図、図４（Ｂ）は側面図である。図中、図１，図３と同じ部分には同じ符号を付して説明を省略する。
【００１７】
このように、本発明の電気コード長さ調節具は、壁や棚にネジ止めする固定タイプと、フック等に引っ掛けるタイプの２種類あり、取り付けする場所によって使い分けができる。また、必ずしも取り付けなくて、床面に置いても差し支えないので、室内外問わずどんな場所でも利用できる。
【００１８】
電気コード長さ調節具本体の素材色を赤、黄、青、緑、橙と色を変えることで、どの家電製品なのか識別し易くなる。または、電気コード長さ調節具本体に直接、家電製品の名称を記入して、取り付け取り外しする場合、どの家電製品なのか区別し易くなる。
【図面の簡単な説明】
【００１９】
【図１】本発明の電気コード長さ調節具の一実施例を説明するためのもので、図１（Ｂ）は上面図、図１（Ａ）は図１（Ｂ）の左側から見た側面図、図１（Ｃ）は図１（Ｂ）の右側から見た側面図、図１（Ｄ）は図１（Ｂ）の左側上方から見た斜視図、図１（Ｅ）は図１（Ｂ）の右側上方から見た斜視図である。
【図２】図１で説明した電気コード長さ調節具にテレビコードを巻き付けた状態を説明するためのもので、図２（Ａ）は平面図、図２（Ｂ）は側面図である。
【図３】本発明の電気コード長さ調節具の他の実施例を説明するためのもので、図３（Ａ）は側面図、図３（Ｂ）は図３（Ａ）の左側から見た上面図、図３（Ｃ）は図１（Ａ）の裏側から見た側面図、図３（Ｄ）は図３（Ａ）の右側から見た下面図、図３（Ｅ）は図３（Ｂ）の左側上方から見た斜視図、図３（Ｆ）は図３（Ｂ）の右側上方から見た斜視図である。
【図４】図３で説明した電気コード長さ調節具にテレビコードを巻き付けた状態を説明するためのもので、図３（Ａ）は平面図、図３（Ｂ）は側面図である。
【図５】本発明の電気コード長さ調節具の形状の説明図である。
【符号の説明】
【００２０】
１…上面壁、２…溝、３…隔壁、４…突起、５…取り付け穴、６…名称、７…電気コード、８…フック部、９…引っ掛け穴。
【手続補正３】
【補正対象書類名】図面
【補正対象項目名】図１
【補正方法】変更
【補正の内容】
【図１】
2007069978.tif 000001
【手続補正４】
【補正対象書類名】図面
【補正対象項目名】図２
【補正方法】変更
【補正の内容】
【図２】
2007069978.tif 000002
【手続補正５】
【補正対象書類名】図面
【補正対象項目名】図３
【補正方法】変更
【補正の内容】
【図３】
2007069978.tif 000003
【手続補正６】
【補正対象書類名】図面
【補正対象項目名】図４
【補正方法】変更
【補正の内容】
【図４】
2007069978.tif 000004
【手続補正７】
【補正対象書類名】図面
【補正対象項目名】図５
【補正方法】追加
【補正の内容】
【図５】
2007069978.tif 000005